(57)【要約】【課題】データ保存媒体が付された記録媒体をリサイクルすることができるデータ保存媒体回収装置を提供すること。【解決手段】第１のデータが記録された記録媒体に第２のデータが記録されたデータ保存媒体が付されているか否かを判定する記録媒体判定手段１１０と、記録媒体判定手段１１０によって記録媒体にデータ保存媒体が付されていると判定された場合に記録媒体におけるデータ保存媒体の位置を認識するデータ保存媒体認識手段１２０と、データ保存媒体認識手段１２０によって認識された記録媒体におけるデータ保存媒体の位置に応じてデータ保存媒体を記録媒体から分離するデータ保存媒体分離手段１５０とによって構成される。【選択図】　図１
2004110146.tif 000002
【特許請求の範囲】
【請求項１】
第１のデータが記録された記録媒体に第２のデータが記録されたデータ保存媒体が付されているか否かを判定する記録媒体判定手段と、
前記記録媒体判定手段によって前記記録媒体に前記データ保存媒体が付されていると判定された場合に前記記録媒体における前記データ保存媒体の位置を認識するデータ保存媒体認識手段と、
前記データ保存媒体認識手段によって認識された前記記録媒体における前記データ保存媒体の位置に応じて前記データ保存媒体を前記記録媒体から分離するデータ保存媒体分離手段と、を備えたことを特徴とするデータ保存媒体回収装置。
【請求項２】
前記データ保存媒体回収装置は、前記記録媒体に記録された前記第１のデータを読み込むデータ読込手段と、
前記データ保存媒体を前記記録媒体から分離するか否かを判断する分離条件情報を格納する分離条件格納手段と、
前記第１のデータと前記分離条件情報とに基づいて前記データ保存媒体を前記記録媒体から分離するか否かを判断する分離判断手段と、をさらに備え、
前記分離判定手段によって前記データ保存媒体を前記記録媒体から分離すると判断された場合に、前記データ保存媒体分離手段が、前記記録媒体から前記データ保存媒体を分離するようにしたことを特徴とする請求項１に記載のデータ保存媒体回収装置。
【請求項３】
前記データ保存媒体回収装置は、前記データ保存媒体に記録された前記第２のデータを読み込むデータ読込手段と、
前記データ保存媒体を前記記録媒体から分離するか否かを判断する分離条件情報を格納する分離条件格納手段と、
前記第２のデータと前記分離条件情報とに基づいて前記データ保存媒体を前記記録媒体から分離するか否かを判断する分離判断手段と、をさらに備え、
前記分離判定手段によって前記データ保存媒体を前記記録媒体から分離すると判断された場合に、前記データ保存媒体分離手段が、前記記録媒体から前記データ保存媒体を分離するようにしたことを特徴とする請求項１に記載のデータ保存媒体回収装置。
【請求項４】
前記データ保存媒体回収装置は、前記記録媒体に記録された前記第１のデータを読み込む第１のデータ読込手段と、
前記データ保存媒体に記録された前記第２のデータを読み込む第２のデータ読込手段と、
前記データ保存媒体を前記記録媒体から分離するか否かを判断する分離条件情報を格納する分離条件格納手段と、
前記第１のデータと前記第２のデータと前記分離条件情報とに基づいて前記データ保存媒体を前記記録媒体から分離するか否かを判断する分離判断手段と、をさらに備え、
前記分離判定手段によって前記データ保存媒体を前記記録媒体から分離すると判断された場合に、前記データ保存媒体分離手段が、前記記録媒体から前記データ保存媒体を分離するようにしたことを特徴とする請求項１に記載のデータ保存媒体回収装置。
【請求項５】
前記データ保存媒体回収装置は、前記データ保存媒体分離手段によって前記記録媒体から分離された前記データ保存媒体に記録された前記第２のデータを読取るデータ読取手段と、
前記第２のデータに応じて前記記録媒体から分離された前記データ保存媒体を分別するデータ保存媒体分別手段と、をさらに備えたことを特徴とする請求項１乃至請求項４に記載のデータ保存媒体回収装置。
【請求項６】
前記データ保存媒体とともに前記記録媒体にダミーのデータ保存媒体が付されている場合には、前記データ保存媒体分離手段が、前記データ保存媒体とともに前記ダミーのデータ保存媒体を前記記録媒体から分離し、前記データ保存媒体分別手段が、前記データ保存媒体と前記ダミーのデータ保存媒体とを分別するようにしたことを特徴とする請求項５に記載のデータ保存媒体回収装置。
【請求項７】
前記データ保存媒体回収装置は、前記データ保存媒体分離手段によって前記記録媒体から分離された前記データ保存媒体を他の記録媒体に付するデータ保存媒体貼付手段をさらに備えたことを特徴とする請求項１乃至請求項６に記載のデータ保存媒体回収装置。
【請求項８】
第１のデータが記録された記録媒体に第２のデータが記録されたデータ保存媒体が付されているか否かを判定する判定ステップと、
前記記録媒体判定手段によって前記記録媒体に前記データ保存媒体が付されていると判定された場合に前記記録媒体における前記データ保存媒体の位置を認識する認識ステップと、
前記データ保存媒体認識手段によって認識された前記記録媒体における前記データ保存媒体の位置に応じて前記データ保存媒体を前記記録媒体から分離する分離ステップと、をコンピュータに実行させることを特徴とするデータ保存媒体回収プログラム。
【発明の詳細な説明】
【０００１】
【発明の属する技術分野】
本発明は、電子回路チップなどのデータ保存媒体が付された有価証券、パスポートなどの記録媒体をリサイクルするデータ保存媒体回収装置に関するものである。
【０００２】
【従来の技術】
従来、紙幣や有価証券等の偽造を防止する偽造防止方法として、紙幣や有価証券等のシートに、電子回路チップを装着してシートに印刷されている可視情報を暗号化して電子回路チップに格納し、可視情報と電子回路チップに格納されている情報とを比較して偽造を防止するものが知られている（例えば、特許文献１参照）。
【０００３】
また、紙幣や有価証券などのシートに電子回路チップを装着して、複写が許可されているか否かの情報を電子回路チップに格納し、当該シートが複写可能であるか否かの制御を行う方法も提案されている（例えば、特許文献２参照）。
【０００４】
【特許文献１】
国際公開番号ＷＯ００／３４９２３
【特許文献２】
特願２００２−２３２５１３号
【０００５】
【発明が解決しようとする課題】
しかしながら、このような従来の偽造防止方法では、記録媒体の有効期限切れを理由とするなどして廃棄される場合に、記録媒体に電子回路チップなどのデータ保存媒体が付されているために、記録媒体をリサイクルすることができないという問題があった。
【０００６】
本発明はこのような問題を解決するためになされたもので、データ保存媒体が付された記録媒体をリサイクルすることができるデータ保存媒体回収装置を提供するものである。
【０００７】
【課題を解決するための手段】
本発明の請求項１に係るデータ保存媒体回収装置は、第１のデータが記録された記録媒体に第２のデータが記録されたデータ保存媒体が付されているか否かを判定する記録媒体判定手段と、前記記録媒体判定手段によって前記記録媒体に前記データ保存媒体が付されていると判定された場合に前記記録媒体における前記データ保存媒体の位置を認識するデータ保存媒体認識手段と、前記データ保存媒体認識手段によって認識された前記記録媒体における前記データ保存媒体の位置に応じて前記データ保存媒体を前記記録媒体から分離するデータ保存媒体分離手段と、を備えた構成を有している。
【０００８】
この構成により、記録媒体に付されたデータ保存媒体を分離するため、記録媒体およびデータ保存媒体をそれぞれリサイクルすることができる。
【０００９】
本発明の請求項２に係るデータ保存媒体回収装置は、請求項１において前記記録媒体に記録された前記第１のデータを読み込むデータ読込手段と、前記データ保存媒体を前記記録媒体から分離するか否かを判断する分離条件情報を格納する分離条件格納手段と、前記第１のデータと前記分離条件情報とに基づいて前記データ保存媒体を前記記録媒体から分離するか否かを判断する分離判断手段と、を備え、前記分離判定手段によって前記データ保存媒体を前記記録媒体から分離すると判断された場合に、前記データ保存媒体分離手段が、前記記録媒体から前記データ保存媒体を分離するようにした構成を有している。
【００１０】
この構成により、記録媒体に付されたデータ保存媒体を分離するため、記録媒体およびデータ保存媒体をそれぞれリサイクルすることができるだけでなく、記録媒体に記録された第１のデータと分離条件情報とに基づいて記録媒体に付されたデータ保存媒体を分離するか否かを判定するため、例えば、有効期限を過ぎ使用できなくなった有価証券、パスポート、免許証、銀行通帳などの記録媒体から重要なデータが記録されたデータ保存媒体を分離して、使用できなくなった記録媒体の所有者の個人情報の流出、または、使用できなくなった記録媒体の流用による記録媒体の偽造などを防止することができる。
【００１１】
本発明の請求項３に係るデータ保存媒体回収装置は、請求項１において前記データ保存媒体に記録された前記第２のデータを読み込むデータ読込手段と、前記データ保存媒体を前記記録媒体から分離するか否かを判断する分離条件情報を格納する分離条件格納手段と、前記第２のデータと前記分離条件情報とに基づいて前記データ保存媒体を前記記録媒体から分離するか否かを判断する分離判断手段と、を備え前記分離判定手段によって前記データ保存媒体を前記記録媒体から分離すると判断された場合に、前記データ保存媒体分離手段が、前記記録媒体から前記データ保存媒体を分離するようにした構成を有している。
【００１２】
この構成により、記録媒体に付されたデータ保存媒体を分離するため、記録媒体およびデータ保存媒体をそれぞれリサイクルすることができるだけでなく、　データ保存媒体に記録された第２のデータと分離条件情報とに基づいて記録媒体に付されたデータ保存媒体を分離するか否かを判定するため、例えば、有効期限を過ぎ使用できなくなった有価証券、パスポート、免許証、銀行通帳などの記録媒体から重要なデータが記録されたデータ保存媒体を分離して、使用できなくなった記録媒体の所有者の個人情報の流出、または、使用できなくなった記録媒体の流用による記録媒体の偽造などを防止することができる。
【００１３】
本発明の請求項４に係るデータ保存媒体回収装置は、請求項１において前記記録媒体に記録された前記第１のデータを読み込む第１のデータ読込手段と、前記データ保存媒体に記録された前記第２のデータを読み込む第２のデータ読込手段と、前記データ保存媒体を前記記録媒体から分離するか否かを判断する分離条件情報を格納する分離条件格納手段と、前記第１のデータと前記第２のデータと前記分離条件情報とに基づいて前記データ保存媒体を前記記録媒体から分離するか否かを判断する分離判断手段と、を備え、前記分離判定手段によって前記データ保存媒体を前記記録媒体から分離すると判断された場合に、前記データ保存媒体分離手段が、前記記録媒体から前記データ保存媒体を分離するようにした構成を有している。
【００１４】
この構成により、記録媒体に付されたデータ保存媒体を分離するため、記録媒体およびデータ保存媒体をそれぞれリサイクルすることができるだけでなく、記録媒体に記録された第１のデータとデータ保存媒体に記録された第２のデータと分離条件情報とに基づいて記録媒体に付されたデータ保存媒体を分離するか否かを判定するため、例えば、有効期限を過ぎ使用できなくなった有価証券、パスポート、免許証、銀行通帳などの記録媒体から重要なデータが記録されたデータ保存媒体を分離して、使用できなくなった記録媒体の所有者の個人情報の流出、または、使用できなくなった記録媒体の流用による記録媒体の偽造などを防止することができる。
【００１５】
本発明の請求項５に係るデータ保存媒体回収装置は、請求項１乃至請求項４において、前記データ保存媒体分離手段によって前記記録媒体から分離された前記データ保存媒体に記録された前記第２のデータを読取るデータ読取手段と、前記第２のデータに応じて前記記録媒体から分離された前記データ保存媒体を分別するデータ保存媒体分別手段と、を備えた構成を有している。
【００１６】
この構成により、記録媒体から分離されたデータ保存媒体に記録されたデータの種類に応じてデータ保存媒体を分別するため、データ保存媒体を効率的にリサイクルすることができる。
【００１７】
本発明の請求項６に係るデータ保存媒体回収装置は、請求項５において、前記データ保存媒体とともに前記記録媒体にダミーのデータ保存媒体が付されている場合には、前記データ保存媒体分離手段が、前記データ保存媒体とともに前記ダミーのデータ保存媒体を前記記録媒体から分離し、前記データ保存媒体分別手段が、前記データ保存媒体と前記ダミーのデータ保存媒体とを分別するようにした構成を有している。
【００１８】
この構成により、データ保存媒体とともに記録媒体にダミーのデータ保存媒体が付されている場合には、データ保存媒体とダミーのデータ保存媒体を分別するため、データ保存媒体だけでなくダミーのデータ保存媒体も効率的にリサイクルすることができる。
【００１９】
本発明の請求項７に係るデータ保存媒体回収装置は、請求項１乃至６において、前記データ保存媒体分離手段によって前記記録媒体から分離された前記データ保存媒体を他の記録媒体に付するデータ保存媒体貼付手段を備えた構成を有している。
【００２０】
この構成により、記録媒体から分離されたデータ保存媒体を新たな記録媒体に付すため、データ保存媒体を有効的にリサイクルすることができる。
【００２１】
本発明の請求項８に係るデータ保存媒体回収プログラムは、第１のデータが記録された記録媒体に第２のデータが記録されたデータ保存媒体が付されているか否かを判定する判定ステップと、前記記録媒体判定手段によって前記記録媒体に前記データ保存媒体が付されていると判定された場合に前記記録媒体における前記データ保存媒体の位置を認識する認識ステップと、前記データ保存媒体認識手段によって認識された前記記録媒体における前記データ保存媒体の位置に応じて前記データ保存媒体を前記記録媒体から分離する分離ステップと、をコンピュータに実行させるようにした構成を有している。
【００２２】
この構成により、記録媒体に付されたデータ保存媒体を分離するため、記録媒体およびデータ保存媒体をそれぞれリサイクルすることができる。
【００２３】
【発明の実施の形態】
以下、本発明の実施の形態について、図面を参照して説明する。
図１は、本発明の実施の形態のデータ保存媒体回収装置の構成を示すブロック図である。
【００２４】
データ保存媒体回収装置１００は、第１のデータが記録された記録媒体に第２のデータが記録されたデータ保存媒体が付されているか否かを判定する記録媒体判定手段１１０と、記録媒体判定手段１１０によって記録媒体にデータ保存媒体が付されていると判定された場合に記録媒体におけるデータ保存媒体の位置を認識するデータ保存媒体認識手段１２０と、記録媒体に記録された第１のデータを読み込む第１のデータ読込手段１３０と、データ保存媒体に記録された第２のデータを読み込む第２のデータ読込手段１３５と、データ保存媒体を記録媒体から分離するか否かを判断する分離条件情報を格納する分離条件格納手段１４０と、第１のデータと第２のデータと分離条件情報とに基づいてデータ保存媒体を記録媒体から分離するか否かを判断する分離判断手段１４５と、データ保存媒体認識手段１２０によって認識された記録媒体におけるデータ保存媒体の位置に応じてデータ保存媒体を記録媒体から分離するデータ保存媒体分離手段１５０と、データ保存媒体分離手段１５０によって記録媒体から分離されたデータ保存媒体に記録された第２のデータを読取るデータ読取手段１６０と、第２のデータに応じて記録媒体から分離されたデータ保存媒体を分別するデータ保存媒体分別手段１７０と、データ保存媒体分離手段１５０によって記録媒体から分離されたデータ保存媒体を他の記録媒体に付するデータ保存媒体貼付手段１８０と、によって構成される。
【００２５】
ここで、以下の説明において、記録媒体は、紙に第１のデータが印刷されているもので、例えば、有価証券、銀行通帳、パスポート、免許証、定期などである。また、第１のデータとは、例えば、文字および図柄を含むものである。
【００２６】
なお、記録媒体は、紙に限定されるものではなく、ＣＤ−ＲＯＭ（Ｃｏｍｐａｃｔ　Ｄｉｓｃ　Ｒｅａｄ　Ｏｎｌｙ　Ｍｅｍｏｒｙ）、ＩＣカード、メモリカード、プラスチックカード等の記録媒体を含むものでもよく、この場合、第１のデータとは、記録媒体に格納されているデータを意味するものである。
【００２７】
さらに、以下の説明において、データ保存媒体は、第２のデータを格納しているものであり、記録媒体に埋め込まれていても貼り込まれていてもよい。
また、第２のデータとは、例えば、第１のデータの読取許可情報もしくは記録許可情報、第１のデータの通信を許可するか否かの通信許可情報、第１のデータの表示を許可するか否かの表示許可情報、および記録媒体の有効期限であってもよい。
また、記録媒体には、第２のデータが格納されていないダミーのデータ保存媒体が埋め込まれ、または貼り込まれていてもよい。
【００２８】
記録媒体判定手段１１０は、記録媒体にデータ保存媒体が付されているか否かを判定し、記録媒体にデータ保存媒体が付されていると判定された場合には、記録媒体にデータ保存媒体が付されている旨を示す信号を生成し、生成された信号をデータ保存媒体認識手段１２０および第１のデータ読込手段１３０に出力するようになっている。
【００２９】
なお、記録媒体判定手段１１０による記録媒体にデータ保存媒体が付されているか否かの判定は、例えば、記録媒体の表面の凹凸データを検出し、検出された凹凸データから予め設定された値以上の凸データがあるか否かに基づいて判定されてもよく、または、記録媒体にエックス線を照射し、エックス線の透過率が予め設定された値以下の部分があるか否かに基づいて判定されてもよく、さらには、記録媒体にレーザ光を照射し、レーザ光の透過率が予め設定された値以下である部分があるか否かに基づいて判定されてもよい。
【００３０】
データ保存媒体認識手段１２０には、記録媒体判定手段１１０によって出力された記録媒体にデータ保存媒体が付されている旨を示す信号が入力されるようになっており、データ保存媒体認識手段１２０は、入力された信号に応じて記録媒体におけるデータ保存媒体の位置を認識し、認識された位置を示す位置データを生成し、生成された位置データを第２のデータ読込手段１３５およびデータ保存媒体分離手段１５０に出力するようになっている。
【００３１】
ここで、データ保存媒体認識手段１２０による記録媒体におけるデータ保存媒体の位置の認識は、データ保存媒体が付された記録媒体の表面の凹凸データを検出し、凹凸データに基づいて凸データが予め設定された値以上である位置を検出することによって行われてもよい。
【００３２】
なお、記録媒体の表面の凹凸データは、例えば、可視光を記録媒体にスリットを介して照射し、記録媒体表面に現れる干渉縞に基づいて検出してもよいし、記録媒体の表面を２台のカメラで撮影して得られる３次元情報に基づいて検出してもよいものとする。
【００３３】
また、データ保存媒体認識手段１２０による記録媒体におけるデータ保存媒体の位置の認識は、データ保存媒体が付された記録媒体にエックス線を照射し、エックス線の透過率が予め設定された値以下である位置を検出することによって行われてもよい。
【００３４】
また、データ保存媒体認識手段１２０による記録媒体におけるデータ保存媒体の位置の認識は、データ保存媒体が付された記録媒体に予め設定された角度でエックス線を照射し、エックス線の反射率が予め設定された値以上である位置を検出することによって行われてもよい。
なお、エックス線を照射する角度は、データ保存媒体を構成する材料によって設定される。また、記録媒体に複数のデータ保存媒体が付されており、各データ保存媒体が同一の材質で構成されている場合に適用可能である。
【００３５】
また、データ保存媒体認識手段１２０による記録媒体におけるデータ保存媒体の位置の認識は、データ保存媒体が付された記録媒体にレーザ光を照射し、レーザ光の透過率が予め設定された値以下である位置を検出することによって行われてもよい。
【００３６】
また、記録媒体がＣＤ−ＲＯＭよりなる場合にデータ保存媒体認識手段１２０による記録媒体におけるデータ保存媒体の位置の認識は、データ保存媒体が付された記録媒体に予め設定された角度でレーザ光を照射し、レーザ光の反射率が予め設定された値以下である位置を検出することによって行われてもよい。
【００３７】
第１のデータ読込手段１３０には、記録媒体判定手段１１０によって出力された記録媒体にデータ保存媒体が付されている旨を示す信号が入力されるようになっており、第１のデータ読込手段１３０は、入力された信号に応じて記録媒体に記録された第１のデータを読み込み、読み込んだ第１のデータを分離判断手段１４５に出力するようになっている。
【００３８】
第２のデータ読込手段１３５には、データ保存媒体認識手段１２０によって出力された位置データが入力されるようになっており、第２のデータ読込手段１３５は、入力された位置データに基づいて位置データによって示された記録媒体に付されたデータ保存媒体から当該データ保存媒体に記録された第２のデータを読み込み、読み込んだ第２のデータを分離判断手段１４５に出力するようになっている。
【００３９】
分離条件格納手段１４０は、データ保存媒体を記録媒体から分離するか否かを判断する分離条件情報を予め格納するようになっている。なお、分離条件格納手段１４０は、複数の分離条件情報を予め格納するようになっていてもよい。
【００４０】
ここで、分離条件情報とは、記録媒体からデータ保存媒体を分離するか否かを判断するためのものであり、例えば、記録媒体の有効期限に関する情報でもよく、または、第２のデータの種類に関するものでよい。
【００４１】
分離判断手段１４５には、第１のデータ読込手段１３０によって出力された第１のデータおよび第２のデータ読込手段１３５によって出力された第２のデータが入力されるようになっており、分離判断手段１４５は、分離条件格納手段１４０に格納された分離条件情報を読み込み、第１のデータと第２のデータと分離条件情報とに基づいてデータ保存媒体を記録媒体から分離するか否かを判断するようになっている。
ここで、以下の説明において、データ保存媒体を記録媒体から分離するか否かの判断のことを分離判断という。
【００４２】
なお、第１のデータと第２のデータと分離条件情報とに基づいた分離判断は、第１のデータと第２のデータとの双方に分離条件情報と同一の情報が含まれているか否かに基づいて行われるようになっている。なお、複数のデータ保存媒体が記録媒体に付されている場合には、データ保存媒体毎に分離判断が行われるようになっていてもよいし、また、特定のデータ保存媒体に記録された第２のデータと第１のデータと分離条件情報とに基づいて分離判断が行われるようになっていてもよい。
【００４３】
第１のデータと第２のデータとの双方に分離条件情報と同一の情報が含まれている場合には、分離判断手段１４５は、データ保存媒体を記録媒体から分離する旨の判断結果を生成し、生成された判断結果をデータ保存媒体分離手段１５０に出力するようになっている。
【００４４】
第１のデータと第２のデータとの双方に分離条件情報と同一の情報が含まれていない場合には、分離判断手段１４５は、データ保存媒体を記録媒体から分離しない旨の判断結果を生成し、生成された判断結果をデータ保存媒体分離手段１５０に出力するようになっている。
【００４５】
ここで、分離判断手段１４５は、第１のデータおよび第２のデータのうちの何れか一方と分離条件情報とに基づいて分離判断を行うようになっていてもよい。
【００４６】
分離判断が第１のデータと分離条件情報とに基づいて行われる場合には、分離判断手段１４５は、第１のデータに分離条件情報と同一の情報が含まれているか否かに基づいて分離判断を行うようになっている。
【００４７】
分離判断が第２のデータと分離条件情報とに基づいて行われる場合には、第２のデータに分離条件情報と同一の情報が含まれているか否かに基づいて分離判断を行うようになっている。
【００４８】
データ保存媒体分離手段１５０には、データ保存媒体認識手段１２０によって出力された位置データおよび分離判断手段１４５によって出力された判断結果が入力されるようになっている。
入力された判断結果がデータ保存媒体を記録媒体から分離しない旨の判断結果であった場合には、データ保存媒体分離手段１５０は、データ保存媒体を記録媒体から分離しないようになっている。
【００４９】
入力された判断結果がデータ保存媒体を記録媒体から分離する旨の判断結果であった場合には、データ保存媒体分離手段１５０は、データ保存媒体を記録媒体から分離し、記録媒体から分離されたデータ保存媒体をデータ読取手段１６０に搬送するようになっている。
【００５０】
なお、記録媒体からデータ保存媒体を分離する方法は、データ保存媒体が付されている位置において記録媒体を刳り貫くことによって実現されてもよいし、他の方法によって実現されてもよい。
【００５１】
データ読取手段１６０は、データ保存媒体分離手段１５０によって搬送されたデータ保存媒体に記録された第２のデータを読取り、読取られた第２のデータをデータ保存媒体分別手段１７０に出力し、第２のデータを読取ったデータ保存媒体をデータ保存媒体分別手段１７０に搬送するようになっている。
【００５２】
なお、データ保存媒体がダミーのデータ保存媒体であった場合には、データ読取手段１６０は、データ保存媒体がダミーのデータ保存媒体である旨を示す情報を生成し、生成された情報をデータ保存媒体分別手段１７０に出力するようになっている。
【００５３】
データ保存媒体分別手段１７０には、データ読取手段１６０によって出力された第２のデータが入力されるようになっており、データ保存媒体分別手段１７０は、入力された第２のデータに応じてデータ読取手段１６０によって搬送されたデータ保存媒体を分別し、分別されたデータ保存媒体を図示しないデータ保存媒体収容部に収容するようになっている。
【００５４】
データ保存媒体貼付手段１８０は、データ保存媒体収容部に収容されたデータ保存媒体から新たな記録媒体に付すデータ保存媒体を選択し、選択されたデータ保存媒体を新たな記録媒体に付すようになっている。
【００５５】
次に、本発明の実施の形態のデータ保存媒体回収装置の動作について説明する。
図２は、本発明の実施の形態のデータ保存媒体回収プログラムの記録媒体からデータ保存媒体を分離する処理の流れを示すフローチャートである。
【００５６】
まず、記録媒体判定手段１１０によって記録媒体にデータ保存媒体が付されているか否かが判定される（Ｓ２１０）。
記録媒体判定手段１１０によって記録媒体にデータ保存媒体が付されていないと判定された場合には、処理を終了し、記録媒体判定手段１１０によって記録媒体にデータ保存媒体が付されていると判定された場合には、データ保存媒体認識手段１２０によって記録媒体におけるデータ保存媒体の位置が認識される（Ｓ２２０）。
【００５７】
次に、記録媒体に記録された第１のデータが第１のデータ読込手段１３０によって読み込まれ、データ保存媒体に記録された第２のデータが第２のデータ読込手段１３５によって読み込まれ、分離判断手段１４５によって第１のデータと第２のデータと分離条件格納手段１４０に格納された分離条件に基づいて分離判断が行われる（Ｓ２３０）。
【００５８】
分離判断の結果、データ保存媒体を記録媒体から分離すると判断された場合には（Ｓ２４０）、データ保存媒体認識手段１２０によって位置が認識されたデータ保存媒体がデータ保存媒体分離手段１５０によって記録媒体から分離される（Ｓ２５０）。
【００５９】
なお、複数のデータ保存媒体が記録媒体に付されている場合には、全てのデータ保存媒体に係る分離判断を行い、データ保存媒体を記録媒体から分離すると判断された場合には、データ保存媒体がデータ保存媒体分離手段１５０によって記録媒体から分離される。
【００６０】
図３は、本発明の実施の形態のデータ保存媒体回収プログラムの記録媒体から分離されたデータ保存媒体を分別する処理の流れを示すフローチャートである。まず、記録媒体から分離されたデータ保存媒体に記録された第２のデータがデータ読取手段１６０によって読取られるとともに（Ｓ３１０）、データ保存媒体がダミーのデータ保存媒体であるか否かが判定される（Ｓ３２０）。
【００６１】
データ保存媒体がダミーのデータ保存媒体である場合には、データ保存媒体がダミーのデータ保存媒体であるとしてデータ保存媒体分別手段１７０によって分別され（Ｓ３３０）、分別に応じてデータ保存媒体収容部に収容される（Ｓ３５０）。
【００６２】
データ保存媒体がダミーのデータ保存媒体ではない場合には、データ保存媒体が第２のデータに応じて分別され（Ｓ３４０）、分別に応じてデータ保存媒体収容部に収容される（Ｓ３５０）。
【００６３】
次に、データ保存媒体収容部に収容されたデータ保存媒体の中から新たな記録媒体に付すデータ保存媒体がデータ保存媒体貼付手段１８０によって選択され、選択されたデータ保存媒体がデータ保存媒体貼付手段１８０によって新たな記録媒体に付される。
【００６４】
このように、データ保存媒体回収装置１００によれば、記録媒体に付されたデータ保存媒体を分離するため、記録媒体およびデータ保存媒体をそれぞれリサイクルすることができる。
また、データ保存媒体回収装置１００によれば、記録媒体に記録された第１のデータとデータ保存媒体に記録された第２のデータと分離条件情報とに基づいて記録媒体に付されたデータ保存媒体を分離するか否かを判定するため、例えば、有効期限を過ぎ使用できなくなった有価証券、パスポート、免許証、銀行通帳などの記録媒体から重要なデータが記録されたデータ保存媒体を分離して、使用できなくなった記録媒体の所有者の個人情報の流出、または、使用できなくなった記録媒体の流用による記録媒体の偽造などを防止することができる。
また、データ保存媒体回収装置１００によれば、記録媒体から分離されたデータ保存媒体に記録されたデータの種類に応じてデータ保存媒体を分別するため、データ保存媒体を効率的にリサイクルすることができる。
また、データ保存媒体回収装置１００によれば、データ保存媒体とともに記録媒体にダミーのデータ保存媒体が付されている場合には、データ保存媒体とダミーのデータ保存媒体を分別するため、データ保存媒体だけでなくダミーのデータ保存媒体も効率的にリサイクルすることができる。
また、データ保存媒体回収装置１００によれば、記録媒体から分離されたデータ保存媒体を新たな記録媒体に付すため、データ保存媒体を有効的にリサイクルすることができる。
【００６５】
なお、データ保存媒体回収装置１００は、第１のデータ読込手段１３０、第２のデータ読込手段１３５、分離条件格納手段１４０および分離判断手段１４５を備えなくても実施可能である。この場合、データ保存媒体分離手段１５０は、データ保存媒体認識手段１２０によって出力された位置データに基づいて記録媒体からデータ保存媒体を分離するようになっている。
【００６６】
また、データ保存媒体回収装置１００は、データ読取手段１６０およびデータ保存媒体分別手段１７０を備えなくても実施可能である。
また、データ保存媒体回収装置１００は、データ保存媒体貼付手段１８０を備えなくても実施可能である。
【００６７】
【発明の効果】
以上説明したように、本発明は、データ保存媒体が付された記録媒体をリサイクルすることができるデータ保存媒体回収装置を提供することができるものである。
【図面の簡単な説明】
【図１】本発明の実施の形態のデータ保存媒体回収装置の構成を示すブロック図である。
【図２】本発明の実施の形態のデータ保存媒体回収プログラムの記録媒体からデータ保存媒体を分離する処理の流れを示すフローチャートである。
【図３】本発明の実施の形態のデータ保存媒体回収プログラムの記録媒体から分離されたデータ保存媒体を分別する処理の流れを示すフローチャートである。
【符号の説明】
１００　データ保存媒体回収装置
１１０　記録媒体判定手段
１２０　データ保存媒体認識手段
１３０　第１のデータ読込手段
１３５　第２のデータ読込手段
１４０　分離条件格納手段
１４５　分離判断手段
１５０　データ保存媒体分離手段
１６０　データ読取手段
１７０　データ保存媒体分別手段
１８０　データ保存媒体貼付手段
【図１】
2004110146.tif 000003
【図２】
2004110146.tif 000004
【図３】
2004110146.tif 000005